(57)【要約】【課題】撮影オーダを変更した際、変更された撮影オーダに対する撮影実績を供給することにより、取得した放射線画像情報を適切に把握する。【解決手段】本発明は、放射線画像撮影システムに関するものであり、所定の撮影条件に従って放射線源２４、２６を制御し、被写体３６の放射線画像情報を取得する撮影装置２０、２２と、前記撮影条件を含む撮影オーダを供給する撮影オーダ供給装置１４と、前記撮影オーダに従って前記撮影装置２０、２２を制御する制御装置１８とを備え、前記制御装置１８は、前記撮影オーダを変更する撮影オーダ変更部１１８と、前記撮影オーダに従って前記撮影装置２０、２２を制御したときの撮影実績を編集する撮影実績編集部１２２と、編集された前記撮影実績を供給する撮影実績供給部１１６とを有する。【選択図】図５
2009254799.tif 000002
【特許請求の範囲】
【請求項１】
所定の撮影条件に従って放射線源を制御し、被写体の放射線画像情報を取得する撮影装置と、
前記撮影条件を含む撮影オーダを供給する撮影オーダ供給装置と、
前記撮影オーダに従って前記撮影装置を制御する制御装置と、
を備え、
前記制御装置は、
前記撮影オーダを変更する撮影オーダ変更部と、
前記撮影オーダに従って前記撮影装置を制御したときの撮影実績を編集する撮影実績編集部と、
編集された前記撮影実績を供給する撮影実績供給部と、
を有することを特徴とする放射線画像撮影システム。
【請求項２】
請求項１記載のシステムにおいて、
前記撮影オーダ供給装置から供給される前記撮影オーダと、前記撮影実績供給部から供給される前記撮影実績とを表示する表示装置を備えることを特徴とする放射線画像撮影システム。
【請求項３】
請求項１記載のシステムにおいて、
前記撮影オーダは、前記放射線画像情報の撮影枚数に係る情報であることを特徴とする放射線画像撮影システム。
【請求項４】
請求項１記載のシステムにおいて、
前記撮影オーダは、前記放射線画像情報を撮影する前記撮影装置に係る情報であることを特徴とする放射線画像撮影システム。
【請求項５】
所定の撮影条件に従って放射線源を制御し、被写体の放射線画像情報を取得する撮影装置と、前記撮影条件を含む撮影オーダを供給する撮影オーダ供給装置とがある場合に、
前記撮影オーダ供給装置から供給された前記撮影オーダに従って前記撮影装置を制御する制御装置であって、
前記撮影オーダを変更する撮影オーダ変更部と、
前記撮影オーダに従って前記撮影装置を制御したときの撮影実績を編集する撮影実績編集部と、
編集された前記撮影実績を供給する撮影実績供給部と、
を有することを特徴とする制御装置。
【請求項６】
所定の撮影条件に従って放射線源を制御し、被写体の放射線画像情報を取得する撮影装置と、前記撮影条件を含む撮影オーダを供給する撮影オーダ供給装置とがある場合に、
前記撮影オーダ供給装置から供給された前記撮影オーダに従って前記撮影装置を制御するために、制御装置に実行させるプログラムであって、
前記制御装置の撮影オーダ変更部により前記撮影オーダを変更するステップと、
前記撮影オーダに従って前記撮影装置を制御したときの撮影実績を前記制御装置の撮影実績編集部により編集するステップと、
編集された前記撮影実績を前記制御装置の撮影実績供給部により供給するステップと、
を有することを特徴とするプログラム。
【請求項７】
所定の撮影条件に従って放射線源を制御し、被写体の放射線画像情報を取得する撮影装置と、前記撮影条件を含む撮影オーダを供給する撮影オーダ供給装置と、前記撮影オーダに従って前記撮影装置を制御する制御装置とがある場合に、
前記制御装置の撮影オーダ変更部により前記撮影オーダを変更し、
前記制御装置の撮影実績編集部により前記撮影オーダに従って前記撮影装置を制御したときの撮影実績を編集し、
編集された前記撮影実績を前記制御装置の撮影実績供給部により供給することを特徴とする放射線画像撮影方法。
【発明の詳細な説明】
【技術分野】
【０００１】
本発明は、撮影装置を用いて被写体の放射線画像情報を取得する放射線画像撮影システム及び放射線画像撮影方法と、撮影条件を含む撮影オーダに従って撮影装置を制御する制御装置と、撮影オーダに従って撮影装置を制御するために制御装置に実行させるプログラムとに関する。
【背景技術】
【０００２】
例えば、病院等の医療機関においては、患者の所望の放射線画像情報を取得するため、ＲＩＳ（Ｒａｄｉｏｌｏｇｙ  Ｉｎｆｏｒｍａｔｉｏｎ  Ｓｙｓｔｅｍ）を用いて、患者の氏名、性別、年齢等の患者情報、撮影方法、撮影部位、使用する撮影装置、撮影枚数、該当する撮影部位に照射する放射線量を決定するための曝射条件等の撮影条件を医師が設定し、これらの情報を撮影オーダとして放射線科に設置されたコンソールに供給する一方、現場の技師がコンソールを操作し、供給された撮影オーダに従い、撮影装置を制御して患者の放射線画像情報を取得し、取得した放射線画像情報に所定の画像処理を施した後、その放射線画像情報を医師による読影診断を行うビューアに供給する放射線画像撮影システムが構築されている。
【０００３】
撮影を行う際、現場の技師は、撮影オーダとして設定された撮影条件に従い、撮影装置に対する撮影部位の位置調整等を行い、次いで、曝射スイッチを操作して撮影を行う。撮影によって取得した放射線画像情報は、コンソールに表示される。
【０００４】
ところで、医師が作成した撮影オーダが必ずしも適切な撮影処理を行うことができるものとは限らない。例えば、医師が指定した撮影装置が、使用中であったり、故障等のために使用できない場合、現場の技師は、同等の機能を有する使用可能な他の撮影装置に変更して撮影を行う必要がある。また、撮影部位の大きさによっては、撮影部位を複数個所に分けて撮影を行わなければならないことがある。この場合、撮影オーダとして設定されている撮影枚数と、実際に必要となる撮影枚数とが異なる可能性がある。さらに、医師が作成した撮影オーダに明らかな間違いがあるときには、当然に撮影オーダを変更する必要がある。さらにまた、撮影装置の設定状態や、現場の技師の都合に応じて、供給された撮影オーダと異なる撮影順に変更して撮影処理を行う方が効率的である場合がある。
【０００５】
このように、放射線画像情報の撮影を行う現場においては、必ずしも医師の撮影オーダ通りに撮影が行われるものとは限らない。しかしながら、撮影オーダと異なる撮影結果が報告されてしまうと、不適切な撮影処理が行われたものと判断されてしまうおそれがある。通常は、撮影オーダを変更する場合、撮影オーダを作成した医師に対して、撮影オーダの修正依頼を行い、あるいは、撮影処理後に撮影オーダを変更した旨のコメントを付して撮影結果を報告している。
【０００６】
なお、現場の技師の都合に合わせて撮影順を変更した場合、撮影終了後、取得した放射線画像情報を医師の撮影オーダの順に並び替えて撮影結果を報告するようにしたものがある（特許文献１参照）。しかしながら、この従来技術は、撮影装置や撮影枚数の変更等、実際の撮影実績を反映させて報告するようにしたものではない。
【先行技術文献】
【特許文献】
【０００７】
【特許文献１】特開２０００−１６６９０８号公報
【発明の概要】
【発明が解決しようとする課題】
【０００８】
本発明の一般的な目的は、撮影オーダを変更した際、変更された撮影オーダに対する撮影実績を供給することにより、取得した放射線画像情報を適切に把握することにある。
【課題を解決するための手段】
【０００９】
本発明に係る放射線画像撮影システムは、所定の撮影条件に従って放射線源を制御し、被写体の放射線画像情報を取得する撮影装置と、
前記撮影条件を含む撮影オーダを供給する撮影オーダ供給装置と、
前記撮影オーダに従って前記撮影装置を制御する制御装置と、
を備え、
前記制御装置は、
前記撮影オーダを変更する撮影オーダ変更部と、
前記撮影オーダに従って前記撮影装置を制御したときの撮影実績を編集する撮影実績編集部と、
編集された前記撮影実績を供給する撮影実績供給部と、
を有することを特徴とする。
【００１０】
また、本発明に係る制御装置は、所定の撮影条件に従って放射線源を制御し、被写体の放射線画像情報を取得する撮影装置と、前記撮影条件を含む撮影オーダを供給する撮影オーダ供給装置とがある場合に、
前記撮影オーダ供給装置から供給された前記撮影オーダに従って前記撮影装置を制御する制御装置であって、
前記撮影オーダを変更する撮影オーダ変更部と、
前記撮影オーダに従って前記撮影装置を制御したときの撮影実績を編集する撮影実績編集部と、
編集された前記撮影実績を供給する撮影実績供給部とを有することを特徴とする。
【００１１】
さらに、本発明に係るプログラムは、所定の撮影条件に従って放射線源を制御し、被写体の放射線画像情報を取得する撮影装置と、前記撮影条件を含む撮影オーダを供給する撮影オーダ供給装置とがある場合に、
前記撮影オーダ供給装置から供給された前記撮影オーダに従って前記撮影装置を制御するために、制御装置に実行させるプログラムであって、
前記制御装置の撮影オーダ変更部により前記撮影オーダを変更するステップと、
前記撮影オーダに従って前記撮影装置を制御したときの撮影実績を前記制御装置の撮影実績編集部により編集するステップと、
編集された前記撮影実績を前記制御装置の撮影実績供給部により供給するステップとを有することを特徴とする。
【００１２】
さらにまた、本発明に係る放射線画像撮影方法は、所定の撮影条件に従って放射線源を制御し、被写体の放射線画像情報を取得する撮影装置と、前記撮影条件を含む撮影オーダを供給する撮影オーダ供給装置と、前記撮影オーダに従って前記撮影装置を制御する制御装置とがある場合に、
前記制御装置の撮影オーダ変更部により前記撮影オーダを変更し、
前記制御装置の撮影実績編集部により前記撮影オーダに従って前記撮影装置を制御したときの撮影実績を編集し、
編集された前記撮影実績を前記制御装置の撮影実績供給部により供給することを特徴とする。
【発明の効果】
【００１３】
本発明では、撮影オーダを変更した際、変更された撮影オーダに基づく撮影装置の撮影実績を編集して供給することにより、取得した放射線画像情報を撮影実績に従って適切に把握することができる。
【図面の簡単な説明】
【００１４】
【図１】本実施形態の放射線画像撮影システムの構成図である。
【図２】図１に示すシステムの模式的説明図である。
【図３】図１の撮影装置の１つに収納される放射線変換パネルの回路構成図である。
【図４】本実施形態の読取装置の構成図である。
【図５】本実施形態の放射線画像撮影システムを構成するコンソール及び撮影装置を中心とする制御ブロック図である。
【図６】図１に示すシステムの動作を説明するためのフローチャートである。
【発明を実施するための形態】
【００１５】
図１及び図２は、本実施形態の放射線画像撮影システム１０の構成を示す。放射線画像撮影システム１０は、病院内の医療事務処理を管理する医事情報システム１２（ＨＩＳ：Ｈｏｓｐｉｔａｌ  Ｉｎｆｏｒｍａｔｉｏｎ  Ｓｙｓｔｅｍ）と、ＨＩＳ１２の管理下において、放射線科での放射線画像の撮影処理を管理する放射線科情報システム１４（撮影オーダ供給装置）（ＲＩＳ：Ｒａｄｉｏｌｏｇｙ  Ｉｎｆｏｒｍａｔｉｏｎ  Ｓｙｓｔｅｍ）と、医師による放射線画像情報の読影診断を行うためのビューア１６と、放射線科の撮影室に隣接する処理室に設置され、図示しないメモリに格納されたプログラムを実行することにより、仕様形態の異なる複数の撮影装置を集中管理制御するコンソール１８（制御装置）と、撮影室に設置される撮影装置２０、２２と、各撮影装置２０、２２を構成する放射線源２４、２６を駆動し、被写体に放射線を曝射する曝射スイッチ２１、２３と、撮影装置２２によって放射線変換パネルＰに記録された放射線画像情報を読み取る読取装置３２とを備え、これらが院内ネットワーク３４によって相互に接続されている。院内ネットワーク３４には、必要に応じてさらに他のコンソール、撮影装置等を接続することができる。
【００１６】
撮影装置２０は、立位の状態にある被写体３６の放射線画像情報を取得するための撮影台３８と、放射線源２４と、曝射スイッチ２１からの曝射信号に従って放射線源２４を駆動制御する線源制御ユニット４０とを備える。撮影台３８には、放射線を直接電気信号に変換する固体放射線検出素子からなる放射線変換パネルＤ（図３）が内蔵される。
【００１７】
放射線変換パネルＤは、放射線を感知して電荷を発生させるアモルファスセレン（ａ−Ｓｅ）等の物質からなる光電変換層４２を行列状の薄膜トランジスタ（ＴＦＴ：Ｔｈｉｎ  Ｆｉｌｍ  Ｔｒａｎｓｉｓｔｏｒ）４４のアレイの上に配置した構造を有し、発生した電荷を蓄積容量４６に蓄積した後、各行毎にＴＦＴ４４を順次オンにして、電荷を画像信号として読み出す。図３では、光電変換層４２及び蓄積容量４６からなる１つの画素４８と１つのＴＦＴ４４との接続関係のみを示し、その他の画素４８の構成については省略している。なお、アモルファスセレンは、高温になると構造が変化して機能が低下してしまうため、所定の温度範囲内で使用する必要がある。従って、撮影台３８内に放射線変換パネルＤを冷却する手段を配設することが好ましい。
【００１８】
各画素４８に接続されるＴＦＴ４４には、行方向と平行に延びるゲート線５０と、列方向と平行に延びる信号線５２とが接続される。各ゲート線５０は、ライン走査駆動部５４に接続され、各信号線５２は、読取回路を構成するマルチプレクサ５６に接続される。
【００１９】
ゲート線５０には、行方向に配列されたＴＦＴ４４をオンオフ制御する制御信号Ｖｏｎ、Ｖｏｆｆがライン走査駆動部５４から供給される。この場合、ライン走査駆動部５４は、ゲート線５０を切り替える複数のスイッチＳＷ１と、スイッチＳＷ１の１つを選択する選択信号を出力するアドレスデコーダ５８とを備える。アドレスデコーダ５８には、制御部６０からアドレス信号が供給される。
【００２０】
また、信号線５２には、列方向に配列されたＴＦＴ４４を介して各画素４８の蓄積容量４６に保持されている電荷が流出する。この電荷は、増幅器６２によって増幅される。増幅器６２には、サンプルホールド回路６４を介してマルチプレクサ５６が接続される。マルチプレクサ５６は、信号線５２を切り替える複数のスイッチＳＷ２と、スイッチＳＷ２の１つを選択する選択信号を出力するアドレスデコーダ６６を備える。アドレスデコーダ６６には、制御部６０からアドレス信号が供給される。マルチプレクサ５６には、Ａ／Ｄ変換器６８が接続され、Ａ／Ｄ変換器６８によってデジタル信号に変換された放射線画像情報が制御部６０に供給される。制御部６０は、取得した放射線画像情報を院内ネットワーク３４を介してコンソール１８に供給する。
【００２１】
なお、スイッチング素子として機能するＴＦＴ４４は、ＣＭＯＳ（Ｃｏｍｐｌｅｍｅｎｔａｒｙ  Ｍｅｔａｌ−Ｏｘｓｉｄｅ  Ｓｅｍｉｃｏｎｄｕｃｔｏｒ）イメージセンサ等、他の撮像素子と組み合わせて実現してもよい。さらにまた、ＴＦＴで言うところのゲート信号に相当するシフトパルスにより電荷をシフトしながら転送するＣＣＤ（Ｃｈａｒｇｅ−Ｃｏｕｐｌｅｄ  Ｄｅｖｉｃｅ）イメージセンサに置き換えることも可能である。
【００２２】
撮影装置２２は、臥位の状態にある被写体３６の放射線画像情報を取得するための撮影台７０と、放射線源２６と、曝射スイッチ２３からの曝射信号に従って放射線源２６を駆動制御する線源制御ユニット７２とを備える。撮影台７０は、蓄積性蛍光体パネルからなる放射線変換パネルＰを収納したカセッテ７４が装填されるスロット７６を有する。
【００２３】
放射線変換パネルＰは、照射された放射線のエネルギを蓄積する蓄積性蛍光体層を支持体上に形成したもので、励起光を照射することにより蓄積されたエネルギに応じた輝尽発光光を出力する一方、所定光量の消去光を照射することにより残存するエネルギを除去して再使用できるものである。
【００２４】
カセッテ７４は、放射線変換パネルＰを蓋部材７８を介して収脱可能に収納するもので、その外面部には、内部に収納されている放射線変換パネルＰを個別に識別するための固有番号、サイズ、感度等の識別情報が記録されたバーコード８０が装着される。バーコード８０は、コンソール１８に接続されたバーコードリーダ８２によって読み取ることができる。
【００２５】
読取装置３２は、放射線変換パネルＰに記録された放射線画像情報を読み取る装置であり、図４に示すように構成される。
【００２６】
読取装置３２は、ケーシング８４の上部に、カセッテ装填部８６が配設される。カセッテ装填部８６には、放射線画像情報が蓄積記録された放射線変換パネルＰを収納したカセッテ７４が装填される。カセッテ装填部８６には、カセッテ７４に配設されたバーコード８０の識別情報を読み取るバーコードリーダ８８と、カセッテ７４の蓋部材７８のロックを解除するロック解除機構９０と、蓋部材７８が開蓋されたカセッテ７４から放射線変換パネルＰを吸着して取り出す吸着盤９２と、吸着盤９２によって取り出された放射線変換パネルＰを挟持搬送するニップローラ９４とが配設される。
【００２７】
ニップローラ９４に連設して、複数の搬送ローラ９４ａ〜９４ｇ及び複数のガイド板９６ａ〜９６ｆが配設され、これらにより湾曲搬送路９８が構成される。湾曲搬送路９８は、カセッテ装填部８６から下方向に延在した後、最下部において略水平状態となり、次いで、略鉛直上方向に延在する。これにより、読取装置３２の小型化が達成される。
【００２８】
ニップローラ９４と搬送ローラ９４ａとの間には、読取処理が終了した放射線変換パネルＰに残存する放射線画像情報を消去するための消去部１００が配設される。消去部１００は、消去光を出力する冷陰極管等の消去光源１０２を有する。
【００２９】
湾曲搬送路９８の最下部に配設される搬送ローラ９４ｄ、９４ｅ間には、プラテンローラ１０４が配設される。そして、プラテンローラ１０４の上部には、放射線変換パネルＰに蓄積記録された放射線画像情報を読み取る走査ユニット１０６が配設される。
【００３０】
走査ユニット１０６は、励起光であるレーザビームＬＢを導出して放射線変換パネルＰを走査する励起部１０８と、レーザビームＬＢによって励起されて出力される放射線画像情報に係る輝尽発光光を読み取る読取部１１０とを備える。
【００３１】
読取部１１０は、一端部がプラテンローラ１０４上の放射線変換パネルＰに近接して配置される集光ガイド１１２と、集光ガイド１１２の他端部に連結され、放射線変換パネルＰから得られた輝尽発光光を電気信号に変換するフォトマルチプライヤ１１４とを備える。フォトマルチプライヤ１１４によって読み取られた放射線画像情報は、院内ネットワーク３４を介してコンソール１８及び操作ユニット３０に供給される。
【００３２】
図５は、放射線画像撮影システム１０を構成するコンソール１８及び撮影装置２０、２２を中心とする制御ブロック図である。
【００３３】
コンソール１８は、全体を制御する制御部１１６（撮影実績供給部）を備え、前記プログラムを実行することにより、ＨＩＳ１２を用いて設定した患者の氏名、性別、年齢等の患者情報、ＲＩＳ１４を用いて医師が設定した当該患者に対する放射線画像情報の撮影方法、撮影部位、使用する撮影装置、撮影枚数、使用する撮影装置を構成する放射線源に設定する管電圧、管電流、放射線の曝射時間等の曝射条件を含む撮影条件を、撮影オーダとして院内ネットワーク３４を介して取得する。
【００３４】
制御部１１６には、撮影オーダを変更する撮影オーダ変更部１１８と、院内ネットワーク３４から供給された変更前の撮影オーダ及び変更後の撮影オーダを記憶する撮影オーダ記憶部１２０と、撮影装置２０、２２により撮影された放射線画像情報の撮影実績を編集する撮影実績編集部１２２と、編集された撮影実績を記憶する撮影実績記憶部１２４と、放射線画像情報に対して画像処理を行う画像処理部１２６と、画像処理の前後の放射線画像情報を記憶する画像記憶部１２８と、撮影オーダ及び放射線画像情報を表示する表示部１３０と、カセッテ７４のバーコード８０を読み取るバーコードリーダ８２とが接続される。
【００３５】
本実施形態の放射線画像撮影システム１０は、基本的には以上のように構成されるものであり、次にその動作（放射線画像撮影方法）について、図６のフローチャートを参照しながら説明する。
【００３６】
先ず、ＨＩＳ１２を用いて、患者の氏名、性別、年齢等の患者情報が設定され、次いで、医師は、当該患者情報に関連させて、放射線画像の撮影方法、撮影部位、撮影に使用する撮影装置、撮影枚数、撮影装置を構成する放射線源に対する管電圧、管電流、放射線の曝射時間等の曝射条件を含む撮影条件を、ＲＩＳ１４を用いて設定する（ステップＳ１）。ＨＩＳ１２及びＲＩＳ１４で設定されたこれらの撮影オーダは、院内ネットワーク３４を介して、放射線科に設置されたコンソール１８に送信され、図示しないメモリに格納されたプログラムを実行するコンソール１８の撮影オーダ記憶部１２０に記憶される。コンソール１８の制御部１１６は、送信された撮影オーダを表示部１３０に表示する（ステップＳ２）。なお、撮影オーダは、複数の患者に対して複数設定することができる。
【００３７】
一方、放射線科に待機している技師は、コンソール１８の表示部１３０に表示された撮影オーダを確認する（ステップＳ３）。この場合、撮影オーダで指定されている撮影装置が使用中、メンテナンス中、あるいは、故障中であるとき（ステップＳ３：ＹＥＳ）、技師は、撮影オーダ変更部１１８を用いて、撮影装置を他の使用可能な撮影装置に変更する（ステップＳ４）。また、医師が指定した撮影部位に対する撮影枚数が、撮影部位のサイズの関係で変更が必要である場合、あるいは、医師の指定に誤りがある場合（ステップＳ３：ＹＥＳ）、撮影オーダ変更部１１８を用いて撮影枚数を変更する（ステップＳ４）。その他、被写体３６の年齢、性別、身体状況等に応じて、曝射条件を含む撮影オーダが撮影オーダ変更部１１８によって変更される（ステップＳ４）。変更された撮影オーダは、医師によって作成された変更前の撮影オーダとともに、撮影オーダ記憶部１２０に記憶される。また、変更後の撮影オーダは、表示部１３０に表示される（ステップＳ５）。
【００３８】
技師による撮影オーダの確認、必要に応じた撮影オーダの変更が行われた後、その撮影オーダに従い、被写体３６に対する撮影処理を開始する（ステップＳ６）。技師は、コンソール１８の表示部１３０に表示された撮影オーダから、撮影対象となる被写体３６の撮影オーダを選択する。次いで、選択された撮影オーダに設定されている撮影装置に被写体３６を導く。
【００３９】
撮影オーダに撮影装置２０が設定されている場合、技師は、撮影装置２０に被写体３６を導き、撮影台３８の位置調整、被写体３６の撮影姿勢の調整等を行う。また、コンソール１８の制御部１１６は、選択された撮影オーダに設定されている曝射条件を、撮影装置２０の線源制御ユニット４０に送信する。線源制御ユニット４０には、放射線源２４の管電圧、管電流、放射線の曝射時間等の曝射条件が設定される。
【００４０】
次いで、技師が曝射スイッチ２１を押下すると、曝射信号が線源制御ユニット４０を介して放射線源２４に供給される。曝射信号が供給された放射線源２４は、線源制御ユニット４０に設定されている曝射条件に従って制御された放射線を出力し、被写体３６に照射する。
【００４１】
被写体３６を透過した放射線は、撮影台３８に収納されている放射線変換パネルＤに照射され、放射線画像情報が記録される。
【００４２】
放射線変換パネルＤ（図３）を構成する各画素４８の光電変換層４２は、入射した放射線を電気信号に変換し、その電気信号が蓄積容量４６に電荷として保持される。次いで、各蓄積容量４６に保持された被写体３６の放射線画像情報である電荷情報は、制御部６０からライン走査駆動部５４及びマルチプレクサ５６に供給されるアドレス信号に従って読み出される。
【００４３】
すなわち、ライン走査駆動部５４のアドレスデコーダ５８は、制御部６０から供給されるアドレス信号に従って選択信号を出力してスイッチＳＷ１の１つを選択し、対応するゲート線５０に接続されたＴＦＴ４４のゲートに制御信号Ｖｏｎを供給する。一方、マルチプレクサ５６のアドレスデコーダ６６は、制御部６０から供給されるアドレス信号に従って選択信号を出力してスイッチＳＷ２を順次切り替え、ライン走査駆動部５４によって選択されたゲート線５０に接続された各画素４８の蓄積容量４６に保持された電荷情報である放射線画像情報を信号線５２を介して順次読み出す。
【００４４】
放射線変換パネルＤの選択されたゲート線５０に接続された各画素４８の蓄積容量４６から読み出された放射線画像情報は、各増幅器６２によって増幅された後、各サンプルホールド回路６４によってサンプリングされ、マルチプレクサ５６を介してＡ／Ｄ変換器６８に供給され、デジタル信号に変換される。デジタル信号に変換された放射線画像情報は、制御部６０により院内ネットワーク３４を介してコンソール１８に送信される（ステップＳ７）。
【００４５】
同様にして、ライン走査駆動部５４のアドレスデコーダ５８は、制御部６０から供給されるアドレス信号に従ってスイッチＳＷ１を順次切り替え、各ゲート線５０に接続されている各画素４８の蓄積容量４６に保持された電荷情報である放射線画像情報を信号線５２を介して読み出し、マルチプレクサ５６、Ａ／Ｄ変換器６８及び制御部６０を介してコンソール１８に送信される（ステップＳ７）。
【００４６】
コンソール１８の画像処理部１２６は、受信した放射線画像情報に対して画像処理を施し、画像記憶部１２８に記憶させるとともに、画像処理された放射線画像情報を表示部１３０に表示させる（ステップＳ８）。
【００４７】
技師は、表示部１３０に表示された被写体３６の放射線画像情報を確認し（ステップＳ９）、取得した放射線画像情報が不適切であると判断したとき（ステップＳ９：ＹＥＳ）、撮影オーダ変更部１１８により撮影条件を変更し（ステップＳ１０）、被写体３６の撮影姿勢や撮影部位を再調整するとともに、変更後の曝射条件を線源制御ユニット４０に設定して再撮影を行う（ステップＳ１１）。なお、変更された撮影条件は、撮影オーダ記憶部１２０に記憶される。
【００４８】
所望の放射線画像情報が取得されたとき（ステップＳ９：ＮＯ）、撮影実績編集部１２２は、取得した当該放射線画像情報に係る患者情報、撮影部位、撮影装置、撮影枚数、曝射条件等の撮影条件を編集し、その編集結果を撮影実績として撮影実績記憶部１２４に記憶させる（ステップＳ１２）。なお、医師により作成された撮影オーダの撮影枚数よりも少ない枚数の撮影が行われた場合、撮影が実施されていない撮影オーダの曝射条件として、放射線の曝射線量を規定するｍＡｓ値（管電流と曝射時間との積）を０とする撮影実績を記録するようにしてもよい。
【００４９】
次いで、撮影実績記憶部１２４に記憶された撮影実績は、撮影オーダ記憶部１２０に記憶されている変更前の撮影オーダと、画像記憶部１２８に記憶されている放射線画像情報とともに、院内ネットワーク３４を介してビューア１６に送信されて表示される（ステップＳ１３）。医師は、ビューア１６に表示された放射線画像情報に基づき、必要な読影診断を行う。
【００５０】
この場合、医師は、自らが作成した撮影オーダと、技師によって変更された撮影オーダに基づく撮影実績とを比較することができるため、撮影現場の事情を考慮した状態で、変更後の撮影オーダに従って取得した放射線画像情報を撮影実績に基づいて適切に確認することができる。
【００５１】
次に、撮影オーダとして撮影装置２２が設定されている場合について説明する。
【００５２】
技師は、撮影装置２２に被写体３６を導き、撮影台７０に対する被写体３６の撮影位置を調整する。また、コンソール１８の制御部１１６は、選択された撮影オーダに設定されている曝射条件を、撮影装置２２の線源制御ユニット７２に送信する。線源制御ユニット７２には放射線源２６の管電圧、管電流、放射線の曝射条件が設定される。
【００５３】
一方、技師は、コンソール１８に接続されたバーコードリーダ８２を用いて、カセッテ７４に装着されたバーコード８０を読み取ることにより、カセッテ７４に収納されている放射線変換パネルＰを識別するための固有番号、サイズ、感度等の識別情報を取得する。
【００５４】
次いで、前記カセッテ７４を撮影装置２２のスロット７６に装填した後、曝射スイッチ２３を押下することにより、放射線源２６から放射線が出力され、被写体３６に照射される。
【００５５】
被写体３６を透過した放射線は、カセッテ７４に収納されている放射線変換パネルＰに照射され、被写体３６の放射線画像情報が蓄積記録される。
【００５６】
放射線画像情報が記録された放射線変換パネルＰを収納するカセッテ７４は、撮影装置２２から抜き取られた後、読取装置３２のカセッテ装填部８６に装填される。カセッテ７４が装填されると、カセッテ装填部８６に配設されているバーコードリーダ８８がカセッテ７４に装着されたバーコード８０を読み取り、放射線変換パネルＰの固有番号、サイズ、感度等の識別情報を取得する。取得した識別情報は、コンソール１８に接続されたバーコードリーダ８２によって取得した識別情報と照合されることで、被写体３６と放射線画像情報との対応関係が確認される。
【００５７】
識別情報が読み取られると、ロック解除機構９０が駆動され、蓋部材７８のロック状態が解除されて開蓋される。次いで、吸着盤９２が放射線変換パネルＰを吸着し、カセッテ７４から放射線変換パネルＰを取り出してニップローラ９４間に供給する。ニップローラ９４により挟持された放射線変換パネルＰは、搬送ローラ９４ａ〜９４ｇ及びガイド板９６ａ〜９６ｆからなる湾曲搬送路９８を介して、走査ユニット１０６の下部に搬送される。
【００５８】
放射線変換パネルＰは、搬送ローラ９４ｄ及び９４ｅにより略水平方向に副走査搬送される。一方、励起部１０８から出力されたレーザビームＬＢは、プラテンローラ１０４により支持された放射線変換パネルＰに導かれ、放射線変換パネルＰを主走査する。
【００５９】
放射線変換パネルＰは、レーザビームＬＢが照射されることで励起され、蓄積記録されている放射線画像情報に応じた輝尽発光光を出力する。この輝尽発光光は、放射線変換パネルＰの主走査方向に沿って近接配置された集光ガイド１１２の下端部から入射し、内部で反射を繰り返し、上端部のフォトマルチプライヤ１１４に導かれる。フォトマルチプライヤ１１４は、入射した輝尽発光光を電気信号に変換し、これによって、放射線変換パネルＰに蓄積記録されている放射線画像情報が読み取られる（ステップＳ７）。
【００６０】
走査ユニット１０６によって読み取られた放射線画像情報は、院内ネットワーク３４を介してコンソール１８に送信される。コンソール１８の制御部１１６は、受信した放射線画像情報を表示部１３０に表示させる（ステップＳ８）。技師は、表示された放射線画像情報を確認し（ステップＳ９）、必要に応じて、撮影オーダを変更して再撮影を行う（ステップＳ１０、Ｓ１１）。なお、変更された撮影条件は、撮影オーダ記憶部１２０に記憶される。
【００６１】
所望の放射線画像情報が取得されたとき（ステップＳ９：ＮＯ）、撮影実績編集部１２２は、取得した当該放射線画像情報に係る患者情報、撮影条件を編集し、その編集結果を撮影実績として撮影実績記憶部１２４に記憶させる（ステップＳ１２）。
【００６２】
次いで、撮影実績記憶部１２４に記憶された撮影実績は、撮影オーダ記憶部１２０に記憶されている変更前の撮影オーダと、画像記憶部１２８に記憶されている放射線画像情報とともに、院内ネットワーク３４を介してビューア１６に送信されて表示される（ステップＳ１３）。医師は、ビューア１６に表示された放射線画像情報に基づき、必要な読影診断を行う。
【００６３】
なお、本発明は、上述した実施形態に限定されるものではなく、本発明の主旨を逸脱しない範囲で自由に変更できることは勿論である。
【００６４】
例えば、上述した放射線変換パネルＤは、入射した放射線の線量を光電変換層４２によって電気信号に直接変換する直接変換方式の放射線検出器であるが、これに代えて、入射した放射線をシンチレータによって一旦可視光に変換した後、この可視光をアモルファスシリコン（ａ−Ｓｉ）等の固体検出素子を用いて電気信号に変換するように構成した間接変換方式の放射線検出器を用いてもよい（特許第３４９４６８３号公報参照）。
【００６５】
また、光読出方式の放射線検出器を利用して放射線画像情報を取得することもできる。この光読出方式の放射線検出器では、マトリクス状に配列された各固体検出素子に放射線が入射すると、その線量に応じた静電潜像が固体検出素子に蓄積記録される。静電潜像を読み取る際には、放射線検出器に読取光を照射し、発生した電流の値を放射線画像情報として取得する。なお、放射線検出器は、消去光を放射線検出器に照射することで、残存する静電潜像である放射線画像情報を消去して再使用することができる（特開２０００−１０５２９７号公報参照）。
【００６６】
さらに、本実施形態では、医師によりＨＩＳ１２にて患者情報が設定され、医師又は技師によりＲＩＳ１４にて撮影指示情報が設定され、これらの情報が院内ネットワーク３４を介してコンソール１８に供給される場合について説明した。これに代えて、コンソール１８で患者情報や撮影指示情報を直接設定してもよいし、あるいは、ＨＩＳ１２又はＲＩＳ１４で患者情報及び撮影指示情報を設定してもよい。
【符号の説明】
【００６７】
１０…放射線画像撮影システム
１２…ＨＩＳ
１４…ＲＩＳ
１６…ビューア
１８…コンソール
２０、２２…撮影装置
２４、２６…放射線源
３２…読取装置
３４…院内ネットワーク
３６…被写体
４０、７２…線源制御ユニット
１１８…撮影オーダ変更部
１２０…撮影オーダ記憶部
１２２…撮影実績編集部
１２４…撮影実績記憶部
１２６…画像処理部
１２８…画像記憶部
１３０…表示部
Ｄ、Ｐ…放射線変換パネル
【図１】
2009254799.tif 000003
【図２】
2009254799.tif 000004
【図３】
2009254799.tif 000005
【図４】
2009254799.tif 000006
【図５】
2009254799.tif 000007
【図６】
2009254799.tif 000008